(57)【要約】【課題】汎用性が高く、装着感が良いと共に、拡大視野ではない通常の視野も良好な双眼ルーペを提供する。【解決手段】双眼ルーペ１の構成を、使用者の鼻に掛ける鼻掛け部１１、耳に掛ける一対の耳掛け部１３、及び、鼻掛け部から一対の耳掛け部それぞれにかけて頬骨に沿って延びるように下方に膨らんで湾曲しているアンダーリム１２を有しているフレーム１０と、それぞれ鼻掛け部の両脇でアンダーリムに支持されている一対のルーペ本体２０とを、具備する構成とする。【選択図】図１
2020184047.tif 000002
【特許請求の範囲】
【請求項１】
使用者の鼻に掛ける鼻掛け部、耳に掛ける一対の耳掛け部、及び、前記鼻掛け部から一対の前記耳掛け部それぞれにかけて頬骨に沿って延びるように下方に膨らんで湾曲しているアンダーリムを有しているフレームと、
それぞれ前記鼻掛け部の両脇で前記アンダーリムに支持されている一対のルーペ本体とを具備することを特徴とする双眼ルーペ。
【請求項２】
前記フレームは、眼鏡レンズに相当する構成を支持していない
ことを特徴とする請求項１に記載の双眼ルーペ。
【請求項３】
一対の前記ルーペ本体は、それぞれ接眼側端部で前記アンダーリムに接続されていると共に、対物側端部で互いに連結されている
ことを特徴とする請求項１または請求項２に記載の双眼ルーペ。
【請求項４】
一対の前記耳掛け部は、それぞれ端部にフックを有している
ことを特徴とする請求項１乃至請求項３の何れか一つに記載の双眼ルーペ。
【発明の詳細な説明】
【技術分野】
【０００１】  本発明は、双眼ルーペに関するものである。
【背景技術】
【０００２】  従来の双眼ルーペとしては、眼鏡の二つのレンズ（キャリアレンズ）それぞれに、ルーペ本体が嵌め込まれている眼鏡一体型ルーペ（例えば、特許文献１参照）と、一対のルーペ本体を支持しているアームがクリップ等の係止具を有しており、その係止具で眼鏡のフレームに着脱式に取り付けられる眼鏡前掛け型ルーペを挙げることができる（例えば、特許文献２参照）。【０００３】  眼鏡一体型ルーペは、使用者の眼幅、視力、要請される作業距離に応じて、キャリアレンズに対するルーペ本体の取り付け位置や角度を調整し、レンズ倍率が選択されるオーダーメイドとされることが多いため、汎用性が乏しく高価である。また、キャリアレンズに固定されたルーペ本体が使用者の眼前に位置するため、拡大視野ではない通常の視野が狭く、拡大しない状況では物を見にくいという問題があった。【０００４】  一方、眼鏡前掛け型ルーペは、一対のルーペ本体間の距離を眼幅に合わせて調整できる機構を有していることが多く、汎用性が高いという利点はあるが、重心が前方に位置するため、視線を下方に向けるように頭を傾けて作業していると、眼鏡がずり下がったりルーペの重さを負担に感じたりすることがあった。また、ルーペ本体の接眼レンズと使用者の眼との間に眼鏡のレンズが存在するため、接眼レンズが眼から離れることとなり、ルーペ本体自体が視野に入って拡大視野が見にくいと共に、眼前にルーペ本体及びこれを支持するアームが吊り下がった状態であるため、拡大視野ではない通常の視野で物を見にくいという問題があった。
【先行技術文献】
【特許文献】
【０００５】
【特許文献１】特開２０１８−２００４１１号公報
【特許文献２】特開２０１１−２６４２号公報
【発明の概要】
【発明が解決しようとする課題】
【０００６】  そこで、本発明は、上記の実情に鑑み、汎用性が高く、装着感が良いと共に、拡大視野ではない通常の視野も良好な双眼ルーペの提供を、課題とするものである。
【課題を解決するための手段】
【０００７】  上記の課題を解決するため、本発明にかかる双眼ルーペは、
「使用者の鼻に掛ける鼻掛け部、耳に掛ける一対の耳掛け部、及び、前記鼻掛け部から一対の前記耳掛け部それぞれにかけて頬骨に沿って延びるように下方に膨らんで湾曲しているアンダーリムを有しているフレームと、
それぞれ前記鼻掛け部の両脇で前記アンダーリムに支持されている一対のルーペ本体とを具備する」ものである。【０００８】  従来、双眼ルーペに関しては、一対のルーペ本体間の距離は、使用者の眼幅（瞳孔間距離）に合わせて“調整しなければならない”と考えられてきた。また、従来の眼鏡一体型ルーペの製造に当たっては、使用者の視力や目的とする作業距離に、ルーペ本体を適応させてきた。このような当業者の常識に反し、本発明者は、双眼ルーペの使用されるシーンとして、ルーペ本体間の距離や作業距離が、厳密に調整・設定されていなくても問題がないシーンが、少なくないことに着目した。つまり、手術用ルーペなど、高度に精密な作業を、直立に近い姿勢で行うことが要請されるシーンで使用される双眼ルーペにとっては、ルーペ本体間の距離を使用者の眼幅に合わせる調整や、使用者の視力や目的の作業距離にルーペ本体を適応させる設定は重要である。これに対し、日常的な作業や手工業的な作業に使用される双眼ルーペとしては、そのような厳密な調整や設定を捨象する不利益より、汎用性が高められる利益の方が大きいのではないかと、本発明者は考えた。【０００９】  本発明は、上記の観点からなされたものであり、鼻掛け部の両脇でアンダーリムにルーペ本体が支持されている。一対のルーペ本体は鼻掛け部の両脇にあるため、使用者の眼幅に差異があっても、使用者の鼻に対する鼻掛け部の位置及び角度を微調整することにより、大抵の人がルーペ本体を介して拡大視することが可能である。また、作業距離は使用者の姿勢で調整することが可能であり、検討の結果、ルーペ本体のレンズ倍率と一対のルーペ本体それぞれの光軸がなす角度等の設定により、使用者の視力の差異が一般的な範囲であれば、作業距離を３５ｃｍ〜４５ｃｍという大差のない範囲とできることが判明した。【００１０】  本構成の双眼ルーペでは、アンダーリムは使用者の頬骨に沿うように下方に膨らんで湾曲しているため、アンダーリムに支持されたルーペ本体は、眼より下方に位置することとなる。そのため、本構成の双眼ルーペでは、視線を下方に向けたときに拡大視することができ、視野を正面に向けたときには、ルーペ本体が視野に入ることながなく、拡大視野ではない通常の視野で物を見る（以下、「通常視野」または「通常視」と称することがある）ことができる。【００１１】  本発明にかかる双眼ルーペは、上記構成に加え、
「前記フレームは、眼鏡レンズに相当する構成を支持していない」ものとすることができる。【００１２】  本構成では、ルーペ本体がアンダーリムに支持されて眼より下方に位置することに加え、眼鏡レンズに相当する構成を有していないため、眼前を遮る物が何もない。従って、双眼ルーペを装着した状態のままであっても、通常視野が極めて良好である。ここで、「眼鏡レンズに相当する構成」の語は、視力矯正の機能を有している眼鏡レンズに加えて、視力矯正の機能を有していない保護レンズや、レンズ形状のシールドを含む意で用いている。【００１３】  そして、眼鏡レンズに相当する構成を有していないことにより、従来の眼鏡一体型ルーペや眼鏡前掛け型ルーペとは異なり、眼鏡レンズを囲むように保持するためのフレームが不要であり、通常の眼鏡では使用者の眉あたりに位置する上部フレームを有しない構成とすることができる。従って、顔回りがすっきりして装着感が良いと共に、従来にない斬新なデザインの双眼ルーペとすることができる。【００１４】  本発明にかかる双眼ルーペは、上記構成に加え、
「一対の前記ルーペ本体は、それぞれ接眼側端部で前記アンダーリムに接続されていると共に、対物側端部で互いに連結されている」ものとすることができる。【００１５】  双眼ルーペでは、一対のルーペ本体それぞれの光軸が、それぞれのレンズ系の焦点で交わるように、それぞれの角度を設定する必要がある。本構成では、アンダーリムに接続されていない側の端部、すなわち、自由端である対物側端部で一対のルーペ本体が互いに連結されているため、それぞれの光軸の角度を設定された角度に維持しやすい。【００１６】  本発明にかかる双眼ルーペは、上記構成に加え、
「一対の前記耳掛け部は、それぞれ端部にフックを有している」ものとすることができる。【００１７】  本構成では、一対の耳掛け部それぞれの端部にフックを有しているため、フックに取り付けたベルトやバンドを用いて、双眼ルーペを頭部に固定することができ、双眼ルーペを装着した状態を簡易に安定させることができる。また、フックに取り付けたストラップを首に掛けておけば、不使用時に外した状態の双眼ルーペを携帯することができる。
【発明の効果】
【００１８】  以上のように、本発明によれば、汎用性が高く、装着感が良いと共に、拡大視野ではない通常の視野も良好な双眼ルーペを、提供することができる。
【図面の簡単な説明】
【００１９】
【図１】本発明の一実施形態である双眼ルーペの斜視図である。
【図２】図１の双眼ルーペの正面図である。
【図３】図１の双眼ルーペの左側面図である。
【図４】図１の双眼ルーペにおける光軸の説明図である。
【図５】図１の双眼ルーペによる拡大視野と通常視野の説明図である。
【発明を実施するための形態】
【００２０】  以下、本発明の一実施形態である双眼ルーペ１について、図面を用いて具体的に説明する。双眼ルーペ１は、フレーム１０に一対のルーペ本体２０が支持されたものであり、ルーペ本体２０の内部のレンズ系を除き、樹脂により一体成形されている。
【００２１】  フレーム１０は、鼻掛け部１１と、一対のアンダーリム１２と、一対の耳掛け部１３とを有している。鼻掛け部１１は逆Ｖ字形であり、使用者の鼻梁に上方から引掛けられる。一対のアンダーリム１２は、それぞれ鼻掛け部１１の両側で、下方に膨らむように湾曲して延びており、使用者の頬骨に沿う形状である。一対の耳掛け部１３は、それぞれアンダーリム１２の終端から連続して上方に延びた後、略直線状の部分１３ｓを介して、先端が下方に屈曲している。一対の耳掛け部１３それぞれの先端にはフック１３ｆが形成されている。フック１３ｆは、一部が開口した平たい環状である。
【００２２】  一対のルーペ本体２０は、それぞれ接眼側端部Ｅ１から対物側端部Ｅ２に向かって拡径した円錐台形状のケースに、レンズ系が保持されたものである。それぞれのルーペ本体２０では、接眼側端部Ｅ１の側周面が、鼻掛け部１１の両脇でアンダーリム１２に固定されている。ルーペ本体２０は、使用者が装着した状態でレンズ系の光軸Ｌが下方に傾く角度で、アンダーリム１２に固定されている。具体的には、耳掛け部１３における略直線状の部分１３ｓの接線Ｎに対して、ルーペ本体２０の光軸Ｌが２５度±２度の角度αをなすように設定されている（図２参照）。
【００２３】  また、一対のルーペ本体２０は、それぞれのレンズ系の光軸Ｌが焦点で交わるように、互いに内向きとなるようにアンダーリム１２に固定されている。具体的には、使用者に装着された双眼ルーペ１を使用者の頭上から見下ろした状態に相当する視野で、一対のルーペ本体２０それぞれの光軸Ｌは８度±１度の角度βをなしている（図４参照）。一対のルーペ本体２０それぞれの対物側端部Ｅ２は、短い連結アーム２７によって互いに連結されており、それぞれの光軸Ｌが角度βをなす取付け角度が安定的に維持されている。
【００２４】  そして、接眼側端部Ｅ１で、一対のルーペ本体２０それぞれの光軸Ｌの距離Ｗは、５５ｍｍ±２ｍｍに設定されている（図３参照）。
【００２５】  検討の結果、角度α、角度β、距離Ｗを上記の設定とすることにより、例えばレンズ倍率を３．５倍とすれば、使用者の眼幅や視力が一般的な範囲で異なっていても、作業距離を３５ｃｍから４５ｃｍの範囲におさめることができる。
【００２６】  上記構成の双眼ルーペ１では、アンダーリム１２に支持されているルーペ本体２０が、使用者の眼より下方に位置するため、図５に模式的に示すように、下方に向けた視線Ｖ１では拡大視することができ、正面に向けた視線Ｖ２では通常視することができる。従って、双眼ルーペ１を外すことなく、双眼ルーペ１を装着した状態のままで、拡大視と通常視とを繰り返すことができる。
【００２７】  加えて、双眼ルーペ１は、従来の眼鏡一体型ルーペや眼鏡前掛け型ルーペとは異なり、眼鏡レンズに相当する構成を有しておらず、当然ながら眼鏡レンズを保持するように囲むフレームも有していないため、眼前を遮る物が何もなく、通常視野が極めて良好である。
【００２８】  また、眼鏡レンズに相当する構成も、眼鏡レンズを保持するように囲むフレームも有していないことから、装着した状態で顔回りがすっきりしており、装着感が良い。更に、下方に膨らんで湾曲しているアンダーリム１２にルーペ本体２０が支持されているという、従来にない斬新で、洗練されたデザインである。
【００２９】  また、一対の耳掛け部１３それぞれの端部にフック１３ｆを有しており、フック１３ｆは一部が開口した平たい環状であるため、ベルトやバンドを着脱可能に容易に取り付けることができ、ベルトやバンドによって双眼ルーペ１を頭部に安定的に固定することができる。また、フック１３ｆにストラップを着脱可能に取り付けることもでき、ストラップを首に掛けておけば、不使用時に外した状態の双眼ルーペ１を携帯することができる。
【００３０】  以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３１】  例えば、上記の実施形態では、フレーム１として、アンダーリム１２から耳掛け部１３にかけて連続しており、通常の眼鏡のフレームとは異なり、フレームを折り畳むためのヒンジ部を有していないものを例示している。これは、双眼ルーペ１を装着した状態での通常視野が良好であることから、作業中は外す必要がなく、不使用時はフック１３ｆに取り付けたバンド等で携帯できるため、そもそもフレーム１０を折り畳む必要性があまりないこと、ヒンジ部が無いことにより構成が簡易で低コストで製造できること、すっきりとしたデザインとなることよる。しかしながら、このような構成に限定されるものではなく、アンダーリムと耳掛け部との間にヒンジ部を設けることにより折り畳み可能なフレームとしてもよく、折り畳んだ状態でケース等に収納して保管・携帯することができる。
【００３２】  また、上記の実施形態では、フレーム１０とルーペ本体２０とがレンズ系を除き樹脂により一体成形されている場合を例示したが、これに限定されない。例えば、フレームとは別に成形されたルーペ本体を、フレームに取り付けることにより一体化させることができる。
【００３３】  更に、実施形態の双眼ルーペ１は、眼鏡レンズに相当する構成を有していない点を長所の一つとしているが、上位概念の本発明は眼鏡レンズに相当する構成を排除するものではない。双眼ルーペの用途により、保護レンズやレンズ形状のシールドをアンダーリムに支持させることができる。
【符号の説明】
【００３４】１  双眼ルーペ
１０  フレーム
１１  鼻掛け部
１２  アンダーリム
１３  耳掛け部
１３ｆ  フック
２０  ルーペ本体
Ｅ１  接眼側端部
Ｅ２  対物側端部
Ｌ  光軸
【図１】
2020184047.tif 000003
【図２】
2020184047.tif 000004
【図３】
2020184047.tif 000005
【図４】
2020184047.tif 000006
【図５】
2020184047.tif 000007